(57)【要約】      （修正有）【課題】灯管の明るさを高めることにより照明性能を高めるとともにユーザーが容易に分解したり組み立てたりできる線状照明装置を提供する。【解決手段】灯管１１と、アルミ押出型ベース１２と、照明テープ１３と、少なくとも１つの反射シート１４と、電源１５と、第１回転カバーと、第２回転カバーとを備える線状照明装置であって、アルミ押出型ベース１２は、灯管１１内に位置する。照明テープ１３は、アルミ押出型ベース１２に位置し、複数の発光部材１３１と基板１３２を含み、発光部材１３１が延伸方向に沿って基板１３２上に配列される。反射シート１４は、延伸方向と平行に基板１３２上に取り付けられ、発光部材１３１に隣接する。電源１５は、灯管１１内に位置し、照明テープ１３と電気的に接続される。第１回転カバーは灯管１１の一方の側に設けられ、第２回転カバーは、灯管１１の他方の側に設けられる。【選択図】図２
0003222886.tif 000002
【実用新案登録請求の範囲】
【請求項１】
灯管、
前記灯管内に位置するアルミ押出型ベース、
アルミ押出型ベースに位置し、複数の発光部材と基板を含み、前記発光部材が延伸方向に沿って前記基板上に配列される照明テープ、
前記延伸方向と平行に前記基板上に取り付けられ、前記発光部材に隣接する少なくとも１つの反射シート、
灯管内に位置し、前記照明テープと電気的に接続される電源、
前記灯管の一方の側に設けられる第１回転カバー、及び
前記灯管の他方の側に設けられる第２回転カバー、を含むことを特徴とする線形照明器具。
【請求項２】
前記第１回転カバーは長形の回転カバーであり、
前記第２回転カバーは短形の回転カバーであることを特徴とする請求項１に記載の線形照明器具。
【請求項３】
前記短形の回転カバーは、第１蓋体、第１回転体、第１弾性部材及び長形のソケット本体を含み、
前記第１回転体の内側と前記長形のソケット本体が回転係合し、前記第１弾性部材は前記第１回転体と前記長形のソケット本体の間に位置し、
前記第１蓋体は、前記第１回転体の外側に位置して前記第１回転体と係合することを特徴とする請求項２に記載の線形照明器具。
【請求項４】
前記第１回転体は、第１の回転係合構造を有し、
前記長形のソケット本体は、第１の回転掛合構造を有することを特徴とする請求項３に記載の線形照明器具。
【請求項５】
前記短形の回転カバーは、第２蓋体、第２回転体、第２弾性部材及び短形のソケット本体を含み、
前記第２回転体の内側と前記短形のソケット本体が回転係合し、前記第２弾性部材は前記第２回転体と前記短形のソケット本体の間に位置し、
前記第２蓋体は、前記第２回転体の外側に位置して前記第２回転体と係合することを特徴とする請求項１に記載の線形照明器具。
【請求項６】
前記第２回転体は第２の回転係合構造を有し、前記短形のソケット本体は第２の回転掛合構造を有することを特徴とする請求項５に記載の線形照明器具。
【請求項７】
前記灯管は上管部と下管部を含み、
前記上管部は前記下管部に結合されていることを特徴とする請求項１に記載の線形照明器具。
【請求項８】
前記アルミ押出型ベースは溝体を含み、
前記照明テープは前記溝体内に位置することを特徴とする請求項１に記載の線形照明器具。
【請求項９】
前記アルミ押出型ベースは、前記溝体の下方に位置するレールを更に含むことを特徴とする請求項８に記載の線形照明器具。
【考案の詳細な説明】
【技術分野】
【０００１】
本考案は照明装置に関し、より詳細には直線状に延びる線状照明装置に関する。
【背景技術】
【０００２】
照明装置は、我々の日常生活に必要不可欠なものとなっている。現代人は、省エネでかつ高照度の照明器具を求めている。また現代人は、簡単に照明器具を分解することができて、容易に保守可能な照明器具に注目している。このため、高照度及び良好な照明効果を発揮する照明器具であって、かつ分解及び組立てが容易な照明器具を設計することが当業者に逼迫の課題となっている。
【０００３】
従来の照明装置を開示する文献として特許文献１がある。特許文献１に開示の線状照明装置は、側面発光型発光体の外周表面の円周方向の一部が、可撓性樹脂シートで被覆された被覆部と、前記可撓性樹脂シートで被覆されずに前記側面発光型発光体の外周表面が露出する開口部と、を具備し、前記可撓性樹脂シートは、光反射特性とクッション性を有する材料からなり、前記被覆部および前記開口部は、それぞれ前記側面発光型発光体の長手方向に平行に連続して形成され、前記被覆部は、前記側面発光型発光体の外周における円周方向の半周を超えるように形成され、前記開口部は、前記側面発光型発光体の外周における円周方向の半周未満の長さに形成されている。
【先行技術文献】
【特許文献】
【０００４】
【特許文献１】特開２０１８−０６０７１９公報
【考案の概要】
【考案が解決しようとする課題】
【０００５】
上記特許文献１に開示の線状照明装置によれば、より長い発光長を得るかあるいは照度を向上させることができる。
【０００６】
しかしながら、上記特許文献１に開示の線状照明装置は、ユーザーが容易に分解したり組み立てたりすることができなかった。
【０００７】
本考案の主たる目的は、灯管の明るさを高めることにより照明性能を高めつつ、ユーザーが容易に分解したり組み立てたりできる線状照明装置を提供することである。
【課題を解決するための手段】
【０００８】
上記の課題に鑑みて、本考案の一実施形態は、灯管と、アルミ押出型ベースと、照明テープと、少なくとも１つの反射シートと、電源と、第１回転カバーと、第２回転カバーとを備える線状照明装置を提供する。
【０００９】
上記アルミ押出型ベースは、灯管内に位置し、照明テープは、アルミ押出型ベースに位置し、複数の発光部材と基板を含み、前記発光部材が延伸方向に沿って前記基板上に配列される。反射シートは、前記延伸方向と平行に前記基板上に取り付けられ、前記発光部材に隣接している。電源は、灯管内に位置し、前記照明テープと電気的に接続される。第１回転カバーは、前記灯管の一方の側に設けられる。第２回転カバーは、前記灯管の他方の側に設けられる。
【００１０】
上記線状照明器具の好ましい実施形態において、前記第１回転カバーは長形の回転カバーであり、前記第２回転カバーは短形の回転カバーである。
【００１１】
上記線状照明器具の好ましい実施形態において、前記短形の回転カバーは、第１蓋体、第１回転体、第１弾性部材及び長形のソケット本体を含み、前記第１回転体の内側と前記長形のソケット本体が回転係合し、前記第１弾性部材は前記第１回転体と前記長形のソケットの間に位置し、前記第１蓋体は、前記第１回転体の外側に位置して前記第１回転体と係合する。
【００１２】
上記線状照明器具の好ましい実施形態において、前記第１回転体は第１の回転係合構造を有し、前記長形のソケット本体は第１の回転掛合構造を有する。
【００１３】
上記線状照明器具の好ましい実施形態において、前記短形の回転カバーは、第２蓋体、第２回転体、第２弾性部材及び短形のソケット本体を含み、前記第２回転体の内側と前記短形のソケット本体が回転係合し、前記第２弾性部材は前記第２回転体と前記短形のソケットの間に位置し、前記第２蓋体は、前記第２回転体の外側に位置して前記第２回転体と係合し、前記第２回転体は第２の回転係合構造を有し、前記短形のソケット本体は第２の回転掛合構造を有している。
【００１４】
上記線状照明器具の好ましい実施形態において、前記灯管は上管部と下管部を含み、前記上管部は前記下管部に結合されている。
【００１５】
上記線状照明器具の好ましい実施形態において、前記アルミ押出型ベースは溝体を含み、前記照明テープは前記溝体内に位置している。
【００１６】
上記線状照明器具の好ましい実施形態において、前記アルミ押出型ベースは、前記溝体の下方に位置するレールを更に含む。
【考案の効果】
【００１７】
本考案の線状照明器具によれば、反射シートが照明テープの基板上に配置されるので、灯管の明るさを高めることができ、照明性能を高めることができる。また線状の照明器具の両端には長型及び短型の照明カバーが設けられているので、ユーザーが容易に分解したり組み立てたりできて非常に有益である。
【図面の簡単な説明】
【００１８】
【図１】本考案の一実施形態の線状照明器具を組み立てた後の斜視図である。
【図２】本考案の一実施形態の線状照明器具を分解した状態の斜視図である。
【図３】本考案の一実施形態の線状照明器具の断面図である。
【図４】本考案の一実施形態の線状照明器具の概略断面図である。
【考案を実施するための形態】
【００１９】
本考案の実施形態の以下の詳細な説明により本考案の詳細な特徴及び利点が説明される。本分野における通常の知識を有する者であれば、この考案に関連する目的及び利点を容易に理解することができる。
【００２０】
以下に、特定の実施形態の詳細な説明及び添付図面を参照して本考案の技術的内容、構造的特徴及び技術的解決策の目的及び効果が詳細に説明される。
【００２１】
図１乃至図４を参照して、図１は、本考案の一実施形態の線状照明器具１を組み立てた後の斜視図であり、図２は、本考案の一実施形態の線状照明器具１を分解した状態の斜視図であり、図３は、本考案の一実施形態の線状照明器具１の断面図であり、図４は、本考案の一実施形態の線状照明器具１の概略断面図である。
【００２２】
本実施形態の線状照明装置１は、灯管１１と、アルミ押出型ベース１２と、照明テープ１３と、少なくとも１つの反射シート１４と、電源１５と、第１回転カバー１６と、第２回転カバー１７とを備える。
【００２３】
アルミ押出型ベース１２は、灯管１１内に配置され、照明テープ１３は、アルミ押出型ベース１２に配置され、複数の発光部材１３１と基板１３２を含み、発光部材１３１が延伸方向に沿って基板１３２上に配列される。発光部材１３１の具体例としてはＬＥＤが挙げられ、基板１３２の具体例としては回路基板が挙げられる。少なくとも１つの反射シート１４は、発光部材１１３１に隣接して、前記延伸方向と平行に基板１３２上に取り付けられている。電源１５は、灯管１１内に位置し、照明テープ１３と電気的に接続され、第１回転カバー１６は、灯管１１の一方の側に設けられ、第２回転カバー１７は、灯管１１の他方の側に設けられる。
【００２４】
本実施形態では、発光部材１３１の両側に２枚の反射シートが取り付けられている。
【００２５】
本実施形態では、第１回転カバー１６は長形の回転カバーであり、第２回転カバー１７は短形の回転カバーである。第１回転カバー１６は、第１蓋体１６１、第１回転体１６２、第１弾性部材１６３及び長形のソケット本体１６４を含み、第１回転体１６２の内側と長形のソケット本体１６４が回転係合し、第１弾性部材１６３は第１回転体１６２と長形のソケット本体１６４の間に位置し、第１蓋体１６１は、第１回転体１６２の外側に位置して第１回転体１６２と係合している。
【００２６】
さらに、本実施形態では、第１回転体１６２は第１の回転係合構造１６２１を有し、長形のソケット本体１６４は第１の回転掛合構造１６４１を有している。
【００２７】
本実施形態では、第２回転カバー１７は、第２蓋体１７１、第２回転体１７２、第２弾性部材１７３及び短形のソケット本体１７４を含み、第２回転体１７２の内側と短形のソケット本体１７４が回転係合し、第２弾性部材１７３は第２回転体１７２と短形のソケット本体１７４の間に位置し、第２蓋体１７１は、第２回転体１７２の外側に位置して第２回転体１７２と係合している。
【００２８】
さらに、本実施形態では、第２回転体１７２は、第２の回転係合構造１７２１を有し、短形のソケット本体１７４は第２の回転掛合構造１７４１を有している。前述の第１弾性部材１６３及び第２弾性部材１７３はバネであってもよい。
【００２９】
本実施形態において、灯管１１は上管部１１１と下管部１１２を含み、上管部１１１は下管部１１２に結合されている。別の実施形態では、灯管１１を一体的に形成してもよい。
【００３０】
本実施形態において、アルミ押出型ベース１２は、溝体１２１を含み、照明テープ１３は溝体１２１内に位置している。
【００３１】
本実施形態において、アルミ押出型ベース１２は、溝体１２１の下方に位置するレール１２２を更に含む。
【００３２】
本考案の線状照明器具１によれば、反射シート１４が照明テープ１３の基板上に配置されるので、灯管１１の明るさを向上することができ、発光効果を高めることができる。また線状照明器具１の両端には長型及び短型の照明カバーが設けられているので、ユーザーが容易に分解したり組み立てたりできて非常に有益である。
【００３３】
本明細書は上述の実施形態の全てを記載しているが、本考案の請求の範囲はこれに限られないことに留意すべきである。すなわち、上述の技術は、本明細書に記載された実施形態、又は本明細書の内容及び図面を用いて行われる等価の構造又は同等の設計変更によって直接又は間接的に修正又は改変がなされてもよい。本考案の解決方法は、他の関連する技術分野においても転用可能であるが、その場合にも本考案の請求の範囲に含まれるものと解釈される。
【符号の説明】
【００３４】
１  線形照明器具
１１  灯管
１１１  上菅部
１１２  下菅部
１２  アルミ押出ベース
１２１  溝体
１２２  レール
１３  照明テープ
１３１  発光部材
１３２  基板
１４  反射シート
１５  電源
１６  第１回転カバー
１６１  第１蓋体
１６２  第１回転体
１６２１  第１の回転係合構造
１６３  第１弾性部材
１６４  長形のソケット本体
１６４１  第１回転掛合構造
１７  第２回転カバー
１７１  第２蓋体
１７２  第２回転体
１７２１  第２の回転係合構造
１７３  第２弾性部材
１７４  短形のソケット本体
１７４１  第２回転掛合構造
【図１】
0003222886.tif 000003
【図２】
0003222886.tif 000004
【図３】
0003222886.tif 000005
【図４】
0003222886.tif 000006
【手続補正書】
【提出日】平成31年4月23日(2019.4.23)
【手続補正１】
【補正対象書類名】実用新案登録請求の範囲
【補正対象項目名】請求項５
【補正方法】変更
【補正の内容】
【請求項５】
前記短形の回転カバーは、第２蓋体、第２回転体、第２弾性部材及び短形のソケット本体を含み、
前記第２回転体の内側と前記短形のソケット本体が回転係合し、前記第２弾性部材は前記第２回転体と前記短形のソケット本体の間に位置し、
前記第２蓋体は、前記第２回転体の外側に位置して前記第２回転体と係合することを特徴とする請求項２に記載の線形照明器具。